(57)【要約】      （修正有）【課題】大型の水生生物などを収容でき、かつ観賞者に与える臨場感・迫力感などの印象を維持しつつ、水槽の建設・維持・運転費用を低減できる手段の提供。【解決手段】水生生物Ｆを観賞できる水生生物観賞施設Ａであって、施設Ａ内には大型水槽構造体１と外側観賞用空間２とが配置され、大型水槽構造体１は、上下方向略筒状に形成され、外壁面３１及び内壁面３２が透明部材で形成され、外壁面３１と内壁面３２とで挟まれた領域に水生生物Ｆが収容される水槽部３と、水槽部３の内壁面３２に囲繞された内側観賞用空間４と、内側観賞用空間４の天面４１を構成し、透明部材と該部材上に形成された液面とを有する天面部５と、を備え、天面部５を介して内側観賞用空間４への自然光及び／又は人工光の採光が可能な構造を有する。【選択図】図２
2015023805.tif 000002
【特許請求の範囲】
【請求項１】
水生生物を観賞できる水生生物観賞施設であって、
該施設内には、大型水槽構造体と、該大型水槽構造体の外周側から水生生物を観賞する外側観賞用空間とが配置され、
前記大型水槽構造体は、
上下方向略筒状に形成され、外壁面及び内壁面が透明部材で形成され、前記外壁面と前記内壁面とで挟まれた領域に前記水生生物が収容される水槽部と、
前記水槽部の前記内壁面に囲繞された内側観賞用空間と、
前記内側観賞用空間の天面を構成し、透明部材と該部材上に形成された透明又は半透明の液面とを有する天面部と、を備え、
前記天面部を介した前記内側観賞用空間への自然光及び／又は人工光の採光が可能な構造を有するとともに、
前記施設内において、前記外側観賞用空間及び前記内側観賞用空間から水生生物を観賞できる水生生物観賞施設。
【請求項２】
前記大型水槽構造体の容積が1,000m3以上である請求項１記載の水生生物観賞施設。
【請求項３】
前記水槽部の高さが6m以上である請求項１又は請求項２記載の水生生物観賞施設。
【請求項４】
前記水槽部内が、複数の領域に分割された請求項１〜３のいずれか一項記載の水生生物観賞施設。
【発明の詳細な説明】
【技術分野】
【０００１】
本発明は、水族館などの水生生物観賞施設などに関連する。より詳細には、大型の水槽構造体が配置された水生生物観賞施設などに関連する。
【背景技術】
【０００２】
水族館などの水生生物観賞施設は、主に、海・河川・湖沼や水辺などで生育する生物を収集・展示する施設である。多くの場合、水槽などに、魚介類・無脊椎動物・両生類・海獣類・爬虫類・ペンギン・水草・サンゴなどが入れられ、公開されている。
【０００３】
近年、大型水槽を備える水生生物観賞施設が増加しており、全体として、水槽を大型化する傾向が強まっている。水槽を大型化することにより、比較的大型の水生生物も水槽内に収容でき、また、それらが水中を遊泳する姿を、自然界における実際の生態に近い状態で観賞できる。加えて、展示面が大きく、展示面のすぐ近くから水生生物を観賞できるため、観賞者に対し、臨場感・迫力感を与えることができる。そのため、水槽の大型化は、水生生物観賞施設における集客力の向上に大きく寄与している。
【０００４】
なお、先行文献として、例えば、特許文献１には、大規模水槽を有する建築物が、特許文献２には海産熱帯魚水槽にトンネルが貫通し、トンネル内から海水熱帯魚を観賞する構成が、特許文献３には、海底散歩体験施設が、特許文献４には、観賞用水槽が、それぞれ記載されている。
【特許文献１】実用新案登録第３１４６２７２号公報
【特許文献２】特開平８−３１２１７４号公報
【特許文献３】特開平４−４０４６６１号公報
【特許文献４】特開２００２−８４９２１号公報
【発明の開示】
【発明が解決しようとする課題】
【０００５】
上述の通り、水生生物観賞施設における水槽の大型化により、大型の水生生物などを、自然界における実際の生態に近い状態で収容・展示することが可能になり、かつ観賞者に対し、臨場感・迫力感を与えることが可能になった。一方、水槽の建設費用、維持・運転費用は、水槽の大きさ・水量などにほぼ比例して増大するという課題がある。
【０００６】
そこで、本発明は、大型の水生生物などを収容でき、実際の生態に近い状態で展示でき、かつ観賞者に与えるスケール感・臨場感・迫力感などの印象を維持しつつ、水槽の建設・維持・運転費用を低減できる手段を提供することなどを目的とする。
【課題を解決するための手段】
【０００７】
本発明では、水生生物を観賞できる水生生物観賞施設であって、該施設内には、大型水槽構造体と、該大型水槽構造体の外周側から水生生物を観賞する外側観賞用空間とが配置され、前記大型水槽構造体は、上下方向略筒状に形成され、外壁面及び内壁面が透明部材で形成され、前記外壁面と前記内壁面とで挟まれた領域に前記水生生物が収容される水槽部と、前記水槽部の前記内壁面に囲繞された内側観賞用空間と、前記内側観賞用空間の天面を構成し、透明部材と該部材上に形成された透明又は半透明の液面とを有する天面部と、を備え、前記天面部を介した前記内側観賞用空間への自然光及び／又は人工光の採光が可能な構造を有するとともに、前記施設内において、前記外側観賞用空間及び前記内側観賞用空間から水生生物を観賞できる水生生物観賞施設を提供する。
【０００８】
この水生生物観賞施設では、大型水槽構造体の水槽部に水生生物が収容される。水槽部は上下方向略筒状に形成されており、水槽部の外周距離（即ち、水生生物の遊泳可能な距離）及び高さは、本発明における大型水槽構造体と同じ容積の既存の大型水槽と同じである。従って、本発明に係る構成により、既存の大型水槽と同様、比較的大型の水生生物も水槽部内に収容でき、また、泳ぎ方・群れの有無・泳ぎのスピードなど、自然界における実際の生態に近い状態で水中を遊泳する姿を観賞できる。
【０００９】
この水生生物観賞施設では、施設内に、大型水槽構造体と、その外周側から水生生物を観賞する外側観賞用空間とが配置される。大型水槽構造体の外周、即ち、水槽部の外壁面は透明部材で形成されており、大型の展示面が形成されている。そのため、外側観賞用空間にいる観賞者は、大型水槽構造体の外周に形成された大型の展示面と対面し、展示面のすぐ近くから水生生物を観賞することが可能である。従って、本発明では、外側観賞用空間にいる観賞者に対し、臨場感・迫力感を与えることができる。また、本発明では、視覚上、水槽部と内側観賞用空間が一体化し、大型水槽構造体の全体に飼育水が充填されている印象を、外側観賞用空間にいる観賞者に与えることができるため、既存の大型水槽と同等のスケール感を与えることができる。
【００１０】
一方、本発明に係る大型水槽構造体は、水生生物を収容する水槽部が上下方向略筒状に形成されており、中空部分には飼育水が充填されていない。従って、この大型水槽構造体と同等の容積を有する既存の大型水槽と比較して、水槽部内に充填する飼育水を大幅に減量できる。これにより、重量負荷を軽減でき、水槽設置箇所における必要強度を下げることができるため、初期費用、即ち、水槽建設時の費用などを大幅に削減できる。また、水槽の容積を小さくできるため、稼働後も、飼育水の交換費用、及び、水槽の保守・点検・交換・修繕費用などを大幅に削減できるほか、清掃・ろ過などの作業も低労力で効率的に行うことができ、維持・運転費用も大幅に削減できる。
【００１１】
本発明では、大型水槽構造体内の中空部分を内側観賞用空間とするとともに、その内側観賞用空間の天面を構成し、透明部材と、該部材上に形成された透明又は半透明の液面とを有する天面部を備える。また、この施設は、天面部を介して前記内側観賞用空間への自然光・人工光の採光が可能な構造を有する。これにより、内側観賞用空間にいる観賞者は、大型水槽構造体内の水槽部の内壁面を構成する大型の展示面と対面し、展示面のすぐ近くから水生生物を観賞できる。そして、内側観賞用空間は大型の展示面に包囲されており、また、その天面部では液面の揺れにより光が屈曲するため、内側観賞用空間にいる観賞者は、大型の展示面に包囲されることによる臨場感・迫力感に加え、水中にいて、水底から水生生物を観賞する感覚、その際の水面の変動の美しさなどを疑似体験できる。
【００１２】
本発明では、水槽部を介して、外側観賞用空間と内側観賞用空間の両方に大型の展示面が形成されているため、本発明における大型水槽構造体と同じ容積の既存の大型水槽と比較して、展示面の面積が大幅に増加する。従って、より多くの観賞者が、水槽のすぐ近傍から水生生物などを観賞できるという利点もある。
【００１３】
加えて、本発明では、大型水槽構造体内に中空部分が形成されているため、水槽の内部において、様々な空間演出を少ない制約の中で自由に行うことが可能である。従来、水生生物観賞施設では、観賞者が水生生物を観賞でき、かつ水生生物が観賞者に驚かないようにするため、観賞用空間を暗くし、水槽内を明るくするなどの演出が施されていることが多い。また、例えば、観賞者が水中にいるような感覚を体験できるように、色彩・音響などの演出を施すことも多い。しかし、水槽内には飼育水が充填されているため、水槽内から光などによる演出を自由に行うことは難しく、空間演出上の制約が多かった。それに対し、本発明では、大型水槽構造体内に中空部分が形成されており、飼育水の充填されていない空間が形成されているため、水槽の内部において、光・音・映像・オブジェなど、様々な空間演出を少ない制約の中で自由に行うことが可能である。これにより、水生生物の展示と協調し、透明部材で形成された展示面や、水槽部内や天面部などに存在する液体などの透明性・反射・屈折などの性質を利用して、従来の大型水槽では行うことのできなかった様々な空間演出を行うことが可能となる。
【発明の効果】
【００１４】
本発明により、水生生物観賞施設において、大型水槽のスケール感を保持し、観賞者に与える臨場感・迫力感などの印象を維持しつつ、水槽建設時の費用、稼働後の維持・運転費用などを低く抑えることができる。
【発明を実施するための最良の形態】
【００１５】
本発明に係る水生生物観賞施設について、以下、図１〜図５を用いて説明する。なお、本発明は、以下の実施形態のみに狭く限定されない。
【００１６】
図１は、本発明に係る水生生物観賞施設の例を示す断面模式図、図２は同外観斜視模式図である。
【００１７】
図１又は図２の水生生物観賞施設Ａでは、同施設内Ａに、大型水槽構造体１と、大型水槽構造体１の外周１１側から水生生物Ｆを観賞する外側観賞用空間２とが配置され、大型水槽構造体１は、上下方向略筒状に形成され、外壁面３１及び内壁面３２が透明部材で形成され、その外壁面３１と内壁面３２とで挟まれた領域に飼育水Ｗ１が充填され、その中に水生生物Ｆが収容される水槽部３と、水槽部３の内壁面３２に囲繞された内側観賞用空間４と、内側観賞用空間４の天面４１を構成し、透明部材と該部材上に形成された透明又は半透明の液面Ｗ２とを有する天面部５と、を備え、天面部５を介して内側観賞用空間４への自然光及び／又は人工光の採光が可能な構造（符号Ｘ参照）を有するとともに、施設Ａ内において、外側観賞用空間２及び内側観賞用空間４から水生生物Ｆを観賞できる構成を備える。両図では、外側観賞用空間２にいる観賞者Ｐ２は大型水槽構造体１の外側から、内側観賞用空間にいる観賞者Ｐ４は大型水槽構造体１の内側から、それぞれ、水槽部３内の水生生物Ｆを観賞している。その他、図２では、外側観賞用空間２と内側観賞用空間４を連結する通路Ｔが形成されている。
【００１８】
水生生物観賞施設Ａは、水族館など、主に、海・河川・湖沼や水辺などで生育する生物を収集・展示する施設である。本発明では、少なくとも水槽部３内に水生生物Ｆを収容し、展示する施設であればよく、例えば、他の目的・用途を含む建築物などの中に構築されている場合なども広く包含される。
【００１９】
水生生物Ｆは、自然界において、海・河川・湖沼・水辺などに生育する生物で、水槽部３内に収容・展示が可能なものであればよく、生物種などにより、狭く限定されない。例えば、魚介類・無脊椎動物・両生類・海獣類・爬虫類・ペンギン・水草・サンゴなどを適用可能である。また、淡水域に生息する種・汽水域に生息する種・海水域に生息する種などをすべて包含する。
【００２０】
大型水槽構造体１は、既存の大型水槽、即ち、飼育水を充填し、その中に水生生物を収容する槽と、透明部材で形成される展示面と、を備えた設備を代替する部位であり、水槽部３と内部観賞用空間４と天面部５とを備える。
【００２１】
大型水槽構造体１の外周１１、即ち、水槽部３の外壁面３１は、透明部材で形成され、大型の展示面を形成しており、外側観賞用空間２にいる観賞者Ｐ２に対し、視覚上、水槽部３と内側観賞用空間４が一体化し、大型水槽構造体１の全体に飼育水Ｗ１が充填されている印象を与える。従って、大型水槽構造体１の容積を大型化することにより、観賞者Ｐ２に対し、同じ容積の既存の大型水槽と同等のスケール感を与えることができる。
【００２２】
大型水槽構造体１の形状は、目的・用途・美観などにより適宜設計することができ、特に限定されないが、水槽部３の形状に規定される。外観上、例えば、円柱状、だ円柱状、多角柱状などの形態を採り得る。
【００２３】
大型水槽構造体１の容積は、1,000m3以上が好適であり、2,000m3以上がより好適であり、4,000m3以上が最も好適である。また、大型水槽構造体１の容積の上限は特に限定されないが、水圧を支える透明部材の強度・耐久性などの観点から、100,000m3以下が好適であり、60,000m3以下がより好適であり、40,000m3以下が最も好適である。
【００２４】
大型水槽構造体１の高さ、即ち、水槽部３の高さ（図１中、符号ｄ参照）は、6m以上が好適であり、8m以上がより好適であり、10m以上が最も好適である。また、大型水槽構造体１又は水槽部３の高さの上限は特に限定されないが、水圧を支える透明部材の強度・耐久性などの観点から、50m以下が好適であり、40m以下がより好適であり、30m以下が最も好適である。
【００２５】
外側観賞用空間２は、観賞者Ｐ２が大型水槽構造体１の水槽部３内に収容された水生生物Ｆなどを大型水槽構造体１の外周側から観賞するための空間である。外側観賞用空間２にいる観賞者Ｐ２は、大型水槽構造体１の外周１１に形成された大型の展示面、即ち、水槽部３の外壁面３１と対面し、展示面のすぐ近くから水生生物を観賞することができる。また、本発明に係る構成では、外側観賞用空間にいる観賞者Ｐ２に対し、視覚上、水槽部３と内側観賞用空間４が一体化し、大型水槽構造体１の全体に飼育水Ｗ１が充填されている印象を与えることができる。
【００２６】
水槽部３は、大型水槽構造体１の構成要素であり、上下方向略筒状に形成され、外壁面３１及び内壁面３２が透明部材で形成され、外壁面３１と内壁面３２とで挟まれた領域に飼育水Ｗ１が充填され、その中に水生生物Ｆが収容される。
【００２７】
水槽部３の形状は、上下方向略筒状で、内側観賞用空間４となる中空部分が形成されていればよく、特に限定されない。例えば、外壁面３１及び内壁面３２の水平断面形状が、それぞれ、略円形、略だ円形、略多角形などの形態を採り得る。
【００２８】
水槽部の幅、即ち、外壁面３１と内壁面３２との間隔は、目的・用途・美観などにより適宜設計することができ、特に限定されないが、作業員が水槽部３内で清掃などの作業を容易に行うことが可能な幅、例えば、好適には1.5m以上、より好適には2.0m以上、最も好適には3.0m以上の幅に設定することができる。
【００２９】
水槽部３の外壁面３１は、外側観賞用空間２と対面する大型の展示面であり、必ずしも全面である必要はないが、原則的には略全面に亘って透明部材で形成される。外側観賞用空間２にいる観賞者Ｐ２は、水槽部３の外壁面３１を介して、水槽部３内の水生生物Ｆ、さらにはその奥の内側観賞用空間４内の演出を観賞する。水槽部３の外壁面３１には、水槽部３内の飼育水Ｗ１を貯留する役割も有する。
【００３０】
水槽部３の内壁面３２は、内側観賞用空間４と対面する大型の展示面であり、必ずしも全面である必要はないが、原則的には略全面に亘って透明部材で形成される。内側観賞用空間４にいる観賞者Ｐ４は、四方を内側面３２に包囲され、水槽部３の内側面３２を介して、水槽部３内の水生生物Ｆを観賞する。水槽部３の内壁面３２には、外壁面３１と共同して、水槽部３内の飼育水Ｗ１を貯留する役割も有する。
【００３１】
水槽部３の外壁面３１及び内壁面３２の材質は、透明部材であって、水槽部３内に貯留する飼育水Ｗ１による水圧に耐えうる強度・耐久性を備えたものであればよく、公知のものを広く採用でき、特に限定されない。本発明に適用できる透明部材として、例えば、ガラス製、アクリル樹脂製のものなどが挙げられる。
【００３２】
飼育水Ｗ１は、水槽部３内で飼育する水生生物の生育に適した水であり、水槽部３の外壁面３１及び内壁面３２に貯留する。飼育水Ｗ１は、飼育する水生生物の生育に適した水であればよく、特に限定されないが、例えば、天然の淡水・汽水・海水や、成分を人工的に調整した人工水などを適宜用いることができる。
【００３３】
内側観賞用空間４は、水槽構造体１内の中空部分に位置し、水槽部３の内壁面３２に囲繞されている。この内側観賞用空間４は、観賞者Ｐ４が大型水槽構造体１の水槽部３内に収容された水生生物Ｆなどを大型水槽構造体１の内部から観賞するための空間である。内側観賞用空間４にいる観賞者Ｐ４は、大型水槽構造体１内の水槽部３の内壁面３２を構成する大型の展示面に包囲され、水底から水生生物Ｆを観賞する感覚で、展示面のすぐ近くから水生生物Ｆを観賞できる。
【００３４】
上述の通り、本発明では、水槽部３を介して、外側観賞用空間２と内側観賞用空間４の両方に大型の展示面３１、３２が形成されているため、本発明における大型水槽構造体１と同じ容積の既存の大型水槽と比較して、展示面の面積が大幅に増加する。従って、より多くの観賞者Ｐ２、Ｐ４が、水槽のすぐ近傍から水生生物Ｆなどを観賞できるという利点がある。また、例えば、外側観賞用空間２内、及び／又は、内側観賞用空間４内の展示面３１、３２近傍の、床面よりも高い位置で水生生物Ｆを観賞可能な観賞用台床部（図示せず。）が配置された構成の場合、床面上からに加え、その上方に一段階又は二段階以上形成された観賞用台床部上からも同時に水生生物Ｆなどを観賞できるため、さらに多くの観賞者が、水槽のすぐ近傍から同時に水生生物Ｆなどを観賞できる。なお、観賞用台床部は、例えば、観賞用空間３、４内に、階段、通路、バルコニーなどを適宜設置することにより、形成することができる。
【００３５】
なお、内側観賞用空間４への出入手段については、公知の手段を広く採用でき、特に限定されない。例えば、図２に示すように、水槽部３を横切るトンネル（同図中、符号Ｔ）を形成することにより出入可能な構造にしてもよいし、チューブ状の通路で水槽部３の内外を連結することにより出入可能な構造にしてもよい。その他、階段などを形成し、水槽部３を横切らずに出入できる構造にしてもよい。
【００３６】
天面部５は、内側観賞用空間４の天面４１を構成する部位で、透明部材と、該部材上に形成された透明又は半透明の液面Ｗ２とを有する。天面部５において、天面４１を透明部材で形成するとともに、その上に透明又は半透明の液体が張られていることにより、水槽構造体１の外部から内側観賞用空間４に採光することが可能となる。また、天面部５に液体を張ることで、液面Ｗ２の揺れにより光が屈曲するため、内側観賞用空間４にいる観賞者Ｐ４は、大型の展示面に包囲されることによる臨場感・迫力感に加え、水中にいて、水底から水生生物を観賞する感覚、その際の水面の変動の美しさなどを疑似体験できる。
【００３７】
天面部５において用いる透明部材は、上記と同様のものを広く採用できる。
【００３８】
透明又は半透明の液面Ｗ２を透明部材上に形成するために用いる液体は、無色又は有色の透明又は半透明の液体であればよく、特に限定されない。例えば、天面部５を略受け皿状に形成し、その中に液体を貯留させることにより液面Ｗ２を形成してもよいし、天面部５と水槽部３とを連結し、天面部５の透明部材上に飼育水を滴下・供給などし、その部材上に液面Ｗ２を形成するとともに、その液体が水槽部３に流れ込む構成にしてもよい。液面Ｗ２の厚さは、少なくとも天面部５の透明部材上に液体が原則として全面に亘って存在する状態になっていれば多く、特に限定されないが、液面Ｗ２を厚くすると、即ち、天面部５の透明部材上の液体を多くすると、透明部材にその重みが負荷されるため、液面Ｗ２の厚さを一定以上にしない方が好ましい。
【００３９】
例えば、天面部５と水槽部３の内壁面３２との接続部分が略円弧状に形成された構成にしてもよい（図１中、符号５１参照）。これにより、天面部５と水槽部３の内壁面３２との境界部分を目立たなくすることができるため、内側観賞用空間４にいる観賞者Ｐ４が天面４１を見上げた際、観賞者Ｐ４に対し、視覚上、空間が限定されず、より広い空間である印象を与えることができる。
【００４０】
本発明に係る水生生物観賞施設Ａでは、天面部５を介して内側観賞用空間４への自然光及び／又は人工光の採光が可能な構造を有していることが好ましい（図１又は図２中、符号Ｘ参照）。
【００４１】
例えば、図１又は図２のように、施設Ａに透明窓などの採光手段Ａ１が形成されていることにより、天面部５を介して内側観賞用空間４へ自然光が到達できる構造になっていてもよいし、採光手段Ａ１に加えて、人工光による補光を行う構造になっていてもよい。また、施設Ａに採光手段Ａ１などが特に形成されていない場合であっても、天面部５を介して内側観賞用空間４へ人工光が到達できる構造になっていればよい。なお、人工光を用いる手段については、公知の手段を広く採用できる。人工光を用いる場合、例えば、光の強度・色などを適宜人為的に調整できる。
【００４２】
その他、上記の通り、内側観賞用空間４は水槽構造体１内の中空部分に形成されており、飼育水Ｗ１の充填されていない空間を形成しているため、水槽部３の内部において、光・音・映像・オブジェなど、様々な空間演出を少ない制約の中で自由に行うことが可能である。これにより、例えば、水生生物の展示と協調し、天面部５を介した採光も利用し、透明部材で形成された展示面や、水槽部３内や天面部５などに存在する液体Ｗ１、Ｗ２などの透明性・反射・屈折などの性質も利用して、従来の大型水槽では行うことのできなかった様々な空間演出を行うことが可能となる。
【００４３】
続いて、図３〜図５は、本発明に係る大型水槽構造体１において、水槽部内を複数の領域に分割する場合の例を示す外観斜視模式図である。
【００４４】
本発明では、水槽部３を上下方向略筒状に形成したことにより、従来の大型水槽と比較してより簡易かつ低コストで、水槽部３内を複数の領域に分割することが可能となる。この場合、同じ数の水槽を個別に展示した場合と比較して、同じ数・容量の飼育スペースを確保しつつ、観賞者に対し、全体として、既存の大型水槽のようなスケール感、水底から水生生物を観賞する感覚などを疑似的に体感させることができる。加えて、例えば、水槽部内が、複数の領域に分割された構成を採用することにより、領域ごとに水の交換・清掃・ろ過などの作業をより低労力かつ効率的に行うことができるため、維持・運転費用をさらに削減できる。その他、捕食生物と被食生物を分離して各領域にそれぞれ収容したり、淡水生物と海水生物など、飼育環境の異なる生物を各領域にそれぞれ収容したりすることで、それらの生物を同時に展示・公開することが可能になる。
【００４５】
図３では、水槽部３と内側観賞用空間４と天面部５を備えた大型水槽構造体１において、水槽部３内に、略鉛直方向に形成された仕切り部材６、６を設置することにより、水槽部３内が2つの領域Ｒ１、Ｒ２に分割されている。
【００４６】
図４では、水槽部３と内側観賞用空間４と天面部５を備えた大型水槽構造体１において、水槽部３内に、略周方向に形成された仕切り部材６を設置することにより、水槽部３内が2つの領域Ｒ１、Ｒ２に分割されている。
【００４７】
図５では、水槽部３と内側観賞用空間４と天面部５を備えた大型水槽構造体１において、水槽部３内に、略水平方向に形成された仕切り部材６を設置することにより、水槽部３内が2つの領域Ｒ１、Ｒ２に分割されている。なお、図５では、領域Ｒ２の清掃・保守などを簡易に行うことができるように、領域Ｒ２に作業員が出入りするための経路Ｒ２１が形成されている。例えば、図５のように、水槽部３内を略水平方向に形成された仕切り部材６などで分割した場合、各領域Ｒ１、Ｒ２における水深をそれぞれ小さくできるため、水槽部３内における各水槽面への水圧の負荷を比較的簡易に軽減できるという利点がある。
【００４８】
なお、本発明は、上記の大型水槽構造体１において、少なくとも水槽部内が複数の領域に分割されたものを全て包含し、例えば、いくつの領域に分割されているかなどにより、狭く限定されない。
【００４９】
また、本発明は、図３〜図５のように、略鉛直方向に形成された仕切り部材、略周方向に形成された仕切り部材、略水平方向に形成された仕切り部材などを用いて水槽部３内を複数の領域に分割した場合の他、それらを組み合わせて水槽部３内を複数の領域に分割した場合、若しくはそれ以外の形状・手段などにより、水槽部３内を複数の領域に分割した場合などについても、広く包含する。
【００５０】
水槽部３内を複数の領域に分割する場合において、仕切り部材６を上記と同様の透明部材で形成することにより、視覚上、水槽部３内に仕切り部材６が存在を、外側観賞用空間２及び内側観賞用空間４にいる観賞者にほとんど気付かれないまま、水生生物を展示・公開することができる。従って、観賞者は、本来は同一の水槽内に収容して展示することが難しい水生生物が、自然界における実際の生態に比較的近い状態で水中を遊泳する姿を観賞することができる。
【図面の簡単な説明】
【００５１】
【図１】本発明に係る水生生物観賞施設の例を示す断面模式図。
【図２】本発明に係る水生生物観賞施設の例を示す外観斜視模式図。
【図３】本発明に係る大型水槽構造体において、水槽部内を複数の領域に分割する場合の例を示す外観斜視模式図（略鉛直方向に形成された仕切り部材を設置した場合）。
【図４】本発明に係る大型水槽構造体において、水槽部内を複数の領域に分割する場合の別の例を示す外観斜視模式図（略周方向に形成された仕切り部材を設置した場合）。
【図５】本発明に係る大型水槽構造体において、水槽部内を複数の領域に分割する場合のさらに別の例を示す外観斜視模式図（略水平方向に形成された仕切り部材を設置した場合）。
【符号の説明】
【００５２】
１                水槽構造体
２                外側観賞用空間
３                水槽部
４                内側観賞用空間
５                天面部
６                仕切り部材
Ａ                水生生物観賞施設
Ｆ                水生生物
Ｐ                観賞者
Ｗ１              飼育水
Ｗ２              天面部の液面
【図１】
2015023805.tif 000003
【図２】
2015023805.tif 000004
【図３】
2015023805.tif 000005
【図４】
2015023805.tif 000006
【図５】
2015023805.tif 000007